(57)【特許請求の範囲】
【請求項１】
体表面に密着して着用される伸縮性素材によって構成されている運動用被服において、高い伸縮性を有する生地で形成されている伸縮部（１２）と、上記伸縮部（１２）とは異なる素材構造又は異なる素材構成を有し、且つ上記伸縮部（１２）より緊締力が高く伸縮性を有する生地で形成されている緊締部が設けられ、上記緊締部は、上記伸縮部（１２）から連続して一体に形成され、且つ人体脚部の腓腹筋の下端部付近から膝の両側面へ形成され、前脛骨筋と膝下部を覆って連結され膝蓋の両脇に達した膝下緊締部（１４）と、上記膝下緊締部（１４）の膝内側に位置する上端部から連続して膝蓋の上方を通り外側広筋に沿って上方に延出し大転子に達する外側広筋緊締部（１８）と、一対の上記外側広筋緊締部（１８）に連続して大腿二頭筋上部から、大転子、殿部にかけて設けられている大腿二頭筋緊締部（２０）とから成ることを特徴とする運動用被服。
【請求項２】
上記緊締部は、人体脚部の腓腹筋の下端部付近から膝の両側面へ湾曲するＵ字形に形成され、このＵ字形の両側面が前脛骨筋と膝下部を覆って連結され膝蓋の両脇に達し膝蓋の後で連結された膝下緊締部（１４）と、上記膝下緊締部（１４）の膝外側に位置する上端部から連続して膝蓋の上方を通り内側広筋に沿って延出し長内転筋に達する長内転筋緊締部（１６）と、上記膝下緊締部（１４）の膝外側に位置する上端部近傍から連続して腸脛靱帯に沿って殿部に達する腸脛靱帯緊締部（２４）と、上記膝下緊締部（１４）の膝内側に位置する上端部付近から連続して内側広筋に沿って長内転筋に達する内側広筋緊締部（１７）を備えたことを特徴とする請求項１記載の運動用被服。
【請求項３】
体表面に密着して着用される伸縮性素材によって構成されている運動用被服において、高い伸縮性を有する生地で形成されている伸縮部（１２）と、上記伸縮部（１２）とは異なる素材構造又は異なる素材構成を有しかつ上記伸縮部（１２）より緊締力が高く伸縮性を有する生地で形成されている緊締部が設けられ、上記緊締部は、上記伸縮部（１２）から連続して一体に形成され、膝部、ふくらはぎ部の各凸部とその周囲に当接する部位には上記伸縮部が設けられ、この伸縮部（１２）には、この身体の各凸部に当接する高伸縮性素材と、この凸部の周囲に当接し上記高伸縮性素材に比べて緊締力が高い低伸縮性素材が設けられていることを特徴とする運動用被服。
【請求項４】
体表面に密着して着用される伸縮性素材によって構成されている運動用被服において、高い伸縮性を有する生地で形成されている伸縮部（１２）と、上記伸縮部（１２）とは異なる素材構造又は異なる素材構成を有しかつ上記伸縮部（１２）より緊締力が高く伸縮性を有する生地で形成されている緊締部が設けられ、上記緊締部は、上記伸縮部（１２）から連続して一体に形成され、上記伸縮部（１２）の緊締力は、下腿部下部が上記緊締部よりも弱い所定の値に設定され、下から上にかけて徐々に弱くし、大腿部上部で最も弱くすることを特徴とする運動用被服。
【請求項５】
体表面に密着して着用される伸縮性素材によって構成されている運動用被服の製造方法において、高い伸縮性を有するような横編みにより糸を編んで形成された伸縮部（１２）と、上記伸縮部（１２）とは異なる素材構造又は異なる素材構成を有しかつ上記伸縮部（１２）より緊締力が高く伸縮性を有するような横編みにより編まれる緊締部とを、連続して一体に編み、上記緊締部が身体の所望の部位に当接しサポートする形状に編むことを特徴とする運動用被服の製造方法。
【請求項６】
上記生地の編み密度の調整、編み組織の変化、編み糸本数の変更、または編み糸種類の変更を適切に設定して、所望の位置で緊締力を所定の値に設定されるように編むことを特徴とする請求項５記載の運動用被服の製造方法。
【発明の詳細な説明】
【０００１】
【発明の属する技術分野】
この発明は、各種の運動競技やそれに準じる運動等をするために着用される運動用被服とその製造方法に関する。
【０００２】
【従来の技術】
従来の一般的な運動用被服の下衣は、伸縮性の生地により脚部にフィットする形状に形成されていた。この場合、脚部にはほぼ均等なフィット感で接するものであった。
【０００３】
また、運動等で障害を受けた関節は、傷害の完治後も運動等により同じ傷害を再発する場合がある。そこで、一般には粘着テープを、障害を受けた部分に巻き、その部位を保護、補強することによって傷害の再発を防止するテーピング手法が用いられている。このようにテーピングは障害を受けた関節の筋肉の形状、方向に密接に関わっており、より大きな効果を得る為には出来るだけ必要な部位、方向に適切な張力を得るのが理想である。
【０００４】
【発明が解決しようとする課題】
上記従来の運動用被服の下衣は、単に運動の妨げとならないように形成されているだけであり、積極的に脚部の運動や機能に効果を及ぼすものではなかった。
【０００５】
また、従来のテーピングは、運動時には障害のない部分まで筋肉の運動を制限すると筋肉に不要な負担をかけ、また運動能力の低下を招き好ましくないため、実際に効果的なテーピングを施すには身体に関する専門的な知識が必要となり、容易ではなかった。また、テーピングを施す部位によっては、テーピング時に他の者の補助を必要とする場合もあった。
【０００６】
そこで、この問題を解決する為、伸縮性を有し体表面に密着して着用される下半身用被服で、テーピング機能を持たせた被服が、特開平４−５０３０２号公報、特開平４−５７９０２号公報、特開平４−５７９０４号公報等に開示されていた。このような被服は、脚部の外側や膝蓋の周辺に緊締力に富む強い伸縮性特性を有する生地で形成されたテーピングパターンを形成するため、下半身用被服本体の生地にそのパターンを縫いあわせたり、あるいは裏打ちして設けていた。
【０００７】
しかし、上記テーピングパターンを有した運動用被服の場合、均一素材で作られたテーピングパターンは、裁断、縫製による加工が必要であり、複雑な形状を実現するのは技術的、コスト的に問題があり、また縫製を行うことによって縫い糸が伸縮性を制限する為、十分な効果を得ることが出来なかった。しかも、テーピングパターンのために縫い代が多くなると、着用時にその部分が身体を圧迫する為、着用感が損なわれるものであった。
【０００８】
この発明は上記従来の問題点に鑑みてなされたものであり、安価で簡単に製造可能で、身体の各部位に適した形状で適切な強さでサポートすることができる運動用被服とその製造方法を提供することを目的とする。
【０００９】
【課題を解決するための手段】
この発明は、体表面に密着して着用される伸縮性素材によって構成されている運動用被服で、高い伸縮性を有する生地で形成されている伸縮部と、上記伸縮部とは異なる素材構造又は異なる素材構成を持ちかつ上記伸縮部より緊締力に富む伸縮性を有する生地で形成されている緊締部が設けられ、上記緊締部は、上記伸縮部から連続して一体に所定の形状に設けられ、身体の所望の部位に当接しその部位をサポートする運動用被服である。
【００１０】
また、上記緊締部は、人体の腓腹筋の下端部付近から膝の両側面へ湾曲するＵ字形に形成され、このＵ字形の両側面は前脛骨筋と膝下部を覆って連結され膝蓋の両脇に達し膝蓋の後で連結される膝下緊締部と、上記膝下緊締部の膝外側に位置する上端部から連続して膝蓋の上方を通り内側広筋に沿って延出し長内転筋に達する長内転筋緊締部と、上記膝下緊締部の膝内側に位置する上端部から連続して膝蓋の上方を通り外側広筋に沿って上方に延出し大転子に達する外側広筋緊締部と、一対の上記外側広筋緊締部に連続して大腿二頭筋上部より殿部下部、大転子、殿部上部を通り仙骨にかけて円形に設けられている大腿二頭筋緊締部とから成るものである。さらに、上記膝下緊締部の膝外側に位置する上端部近傍から連続して腸脛靱帯に沿って殿部に達する腸脛靱帯緊締部と、上記膝下緊締部の膝内側に位置する上端部付近から連続して内側広筋に沿って長内転筋に達する内側広筋緊締部等が設けられ、これらを適宜の組み合わせにより形成して、テーピング機能等を設けている。
【００１１】
また、殿部、膝部、ふくらはぎ部等の身体の各凸部とその周囲に当接する部位には上記伸縮部が設けられ、この伸縮部には、この身体の各凸部に当接する高伸縮性素材と、この凸部の周囲に当接し上記高伸縮性素材に比べて緊締力が高い低伸縮性素材が設けられている。
【００１２】
また、上記伸縮部の緊締力は、下腿部下部が上記緊締部よりも弱い所定の値に設定され、下から上にかけて徐々に弱くし、大腿部上部で最も弱くなっている。
【００１３】
またこの発明は、高い伸縮性を有するような横編みにより糸を編んで形成される伸縮部と、上記伸縮部とは異なる素材構造又は異なる素材構成を有しかつ上記伸縮部より緊締力が高く伸縮性を有するような横編みにより編まれる緊締部とを、連続して一体に編み、上記緊締部が身体の所望の部位に当接しサポートする形状に編む運動用被服の製造方法である。伸縮性や緊締力の調整は、上記生地の編み密度の調整、編み組織の変化、編み糸本数の変更、または編み糸種類の変更を適切に設定して、所望の位置で所定の緊締力値に設定する。
【００１４】
この発明の運動用被服は、生地の編み方や編み目密度やそれらの位置を適宜変えて、緊締部の形状や緊締力を自由に設定し、腱や靱帯を部分的に保護し、腱や靱帯にかかる力を負担して傷害の予防を行う。
【００１５】
【発明の実施の形態】
以下、この発明の実施形態について図面に基づいて説明する。図１〜図３はこの発明の一実施形態を示すもので、この実施形態の運動用被服は、ウエストラインから踝に達するスパッツ１０である。スパッツ１０の表面で一番広い面積を占め、高い伸縮性を有する生地で形成されている伸縮部１２は組織Ａで形成され、組織Ａは地糸（２本）で編まれた横編み、平編み（プレーン編み）により形成されている。伸縮部１２以外の部分は、その他の編み組織Ｂ，Ｃ，Ｄ，Ｅで形成された緊締部として設けられ、これらは緊締力の強い横編み、タック編みの変形組織により形成する。以下にこの各緊締部について説明する。
【００１６】
まず、膝から下の部分には膝下緊締部１４が設けられている。膝下緊締部１４は、膝の両側から前脛骨筋の中央付近の間を、下脚部のふくらはぎの筋肉である腓腹筋に当接する部分を除いて覆っている。膝下緊締部１４は、腓腹筋の下端部分をＵ字形にサポートする腓腹筋下端部サポート部１４ａと、膝下から前脛骨筋、長指屈筋にかけてサポートする前脛骨筋サポート部１４ｂと、膝の裏側をサポートする膝裏サポート部１４ｃが設けられている。腓腹筋下端部サポート部１４ａの作用は、足を後方へ蹴るときの補助を行い、前脛骨筋サポート部１４ｂは足先をあげるときの補助を行い、また膝裏サポート部１４ｃは膝を安定させ膝裏のフィット感を向上させる。
【００１７】
この膝下緊締部１４は、組織Ｃで形成されている。組織Ｃは地糸（２本）とボス糸（１本）で編まれ、タック編みを使った変化組織に編み糸を１本追加し強度と厚みを出しているものである。今回使用している組織でもっとも大きな張力と厚みのある組織で、もっとも高いサポート力を有している。
【００１８】
膝下緊締部１４の上方には、膝下緊締部１４の膝外側に位置する上端部から連続して帯状に設けられ、膝の外側から膝蓋の上方を通って大腿部内側に達する長内転筋緊締部１６が設けられている。長内転筋緊締部１６は、外側側副靱帯から外側広筋や大腿直筋の下端部付近をサポートし、さらに内側広筋と長内転筋に沿ってサポートする。長内転筋緊締部１６の作用は、膝及び膝周辺のサポートによる下肢の安定、膝のねじれ防止を行う。
【００１９】
長内転筋緊締部１６は組織Ｂで設けられ、地糸（２本）で編まれ、タック編みを使った変化組織である。組織としては、組織Ｃの次に張力、厚みがあり、組織Ｃに次いで強いサポート力を有している。特に、縦方向の伸びが必要な部分等のサポートに使用されている。
【００２０】
さらに、膝下緊締部１４の上方には、膝下緊締部１４の膝内側に位置する上端部から連続して帯状に設けられ、膝の内側から膝蓋の上方を通って長内転筋緊締部１６と交差し、さらに大腿部の外側を通って大転子に達する外側広筋緊締部１８が設けられている。外側広筋緊締部１８は、内側足幅靱帯から内側広筋や大腿直筋の下端部付近をサポートし、さらに外側広筋に沿ってサポートする。外側広筋緊締部１８の作用は長内転筋緊締部１６と同様に膝及び膝周辺のサポートによる下肢の安定、膝のねじれ防止を行う。そして、外側広筋緊締部１８は、組織Ｂで設けられている。
【００２１】
外側広筋緊締部１８の上端部付近には、これに連続して設けられ、両側の大転子を通り殿部を円形に囲む大腿二頭筋緊締部２０が設けられている。大腿二頭筋緊締部２０は、、大腿二頭筋上部より殿部下部、大転子、殿部上部を通り、仙骨にかけて円形にサポートする。大腿二頭筋緊締部２０の作用は、ヒップを下方から引き上げることによりヒップアップする効果を有する。そして、大腿二頭筋緊締部２０は、組織Ｃで設けられている。
【００２２】
また、大腿二頭筋緊締部２０の大転子付近に連続して設けられウエストラインに達する大腿筋膜張筋緊締部２２が設けられている。大腿筋膜張筋緊締部２２は、大転子から中殿筋、大腿筋膜張筋をサポートし、その作用は骨盤の安定、膝（太腿）を上げるときの補助を行う。そして、大腿筋膜張筋緊締部２２は、組織Ｂで設けられている。
【００２３】
そして、膝の側方から脚上部にかけて、膝下緊締部１４の膝外側に位置する部分から連続して帯状に設けられ、外側広筋緊締部１８の外側に沿って大腿二頭筋緊締部２０の下端部に達し、さらに大腿二頭筋緊締部２０の内側に沿って腰付近へ達する腸脛靱帯緊締部２４が設けられている。腸脛靱帯緊締部２４は、膝外側より大腿筋膜張筋にかけて腸脛靱帯をサポートし、その作用は腿の上げ下げ、膝の曲げ伸ばしの補助、支持脚の補助を行う。そして、腸脛靱帯緊締部２４は組織Ｄで設けられ、組織Ｄは地糸（２本）で編まれ、タック編みを使った変化組織である。組織としては、組織Ｂの次に張力があり、組織Ａより厚みがある。そして縦方向の伸びが必要な部分等のサポートに使用され、組織Ｂより弱めにサポートする。
【００２４】
そして、膝下緊締部１４の膝内側に位置する部分から連続して帯状に設けられ長内転筋緊締部１６の先端付近に達する内側広筋緊締部１７が設けられ、内側広筋緊締部１７は組織Ｄで設けられている。
【００２５】
また、股付根部分のマチには通気部２６が設けられている。通気部２６は組織Ｅで設けられ、組織Ｅは地糸（２本）で編まれ、タック編みを使った変化組織で、伸びがよくて通気性のあるように編み目密度は荒く設定されている。
【００２６】
次に、組織Ａで設けられた伸縮部１２について説明する。まず膝下緊締部１４の下のスネ部２８は、伸縮性を必要としない部位であり、また上方へのずれ上がり防止と血行促進のため、平編みの編み目密度を増し、強めにサポートしている。膝下緊締部１４に囲まれているフクラハギ部３０とヒザ部３２は、運動時の延びに対応できるように弱い組織で形成されている。特にフクラハギ部３０とヒザ部３２の中央付近の凸部は、その周辺部分よりも高い伸縮性を有するように平編みの編み目密度を調整してもよい。また、膝下緊締部１４の膝裏サポート部１４ｃと大腿二頭筋緊締部２０の間に位置する後モモ部３６と、大腿二頭筋緊締部２０で囲まれているヒップ部３８も、運動時の延びに対応できるように弱い組織で形成されている。長内転筋緊締部１６と外側広筋緊締部１８に囲まれた前モモ部３４は、足の付け根付近は編み地密度が周囲に比べ密になる密着部３４ａが形成され、密着部３４ａの周囲は運動時の延びに対応できるように弱い組織で形成されている。密着部３４ａの作用は、周長方向の張力を少し強め殿部位置のホールド性向上と、縦方向の張力を少し強めて前屈姿勢でのだぶりを防ぐものである。
【００２７】
この実施形態の運動用被服の作り方は、スパッツ１０の生地を作る編み機に、平編みとタック編みが所定パターンに配置されるように設定して、スパッツ１０の生地を自動に各緊締部と一体に編み上げる。編み組織は、編み針のニット・ポジション、タック・ポジションの組み合わせにより変化させる。平編みつまり組織Ａは、すべてニット・ポジションで編みを構成し、その他タック編みの変化組織はニット・ポジションとタック・ポジションの組み合わせで編みを構成する。タック編みの変化組織は、平編み組織と比べ、組織の凹凸がある。そして、このように編み上げられた編み地を所定の手順で両脚分つなぐように縫製し、スパッツ１０を作る。
【００２８】
なお、編み地に使用する編み糸の種類は、例えば５０番手のスパンデックス（伸縮糸）に７０デニールのナイロンウーリー加工糸（伸縮加工糸）をカバーリングした糸と、３０デニールのナイロンウーリー加工糸の２本で構成されている。また、ボス糸（補強糸）は、例えば７０デニールのナイロンウーリー加工糸を一本使用している。
【００２９】
この実施形態の運動用被服によれば、生地に連続してタック編みの変化組織を設けて継ぎ目無く緊締部を形成し、着用するだけで人体の所望の部分をサポートすることが出来る。これにより、運動、動作に伴う局部的な圧迫や、抵抗を大幅に減らすことが出来る。また、緊締部は、編み機に所定のパターンを設定するだけで、簡単に短時間で形成することができる。緊締部と伸縮部を縫製する必要が無く、継ぎ目による段部がないため着心地がよく、また縫製の手間がかからすコストが安価である。
【００３０】
緊締部を形成するタック編みは、密度を変えたりボス糸を加えることで微妙に異なる緊締力に設定することができ、人体の所望の部分に各々適したサポート力を与えることができる。また、タック編みは平編み組織と比べて組織の凹凸があり、組織の凹凸は身体の縦方向にすじ状に現れるためそれが人体と衣服との摩擦抵抗を増加させ、運動用被服の位置ずれ、特に横方向の位置ずれを防ぐ効果がある。
【００３１】
さらに、この運動用被服は、傷害の再発を防止するとともに、長時間の連続的な運動、例えば登山のような活動時間のほとんどを連続的に運動を繰り返すものについても疲労軽減に効果を有する。また、血流促進（整脈還流促進）にも効果があり、長時間の着用においても快適さを維持できる。
【００３２】
なお、この発明の運動用被服とその製造方法は、上記実施形態に限定されるものではなく、例えば外側広筋緊締部は、上端部と下端部の緊締力をその間の中心部よりも高めてもよい。緊締力を高める方法は、編み目密度を高くしたり、外側広筋緊締部の幅を変えたりする。これにより、膝付近と大転子付近等局所部位に必要とされる緊締力を高め、また外側広筋緊締部の中央付近は伸縮性が向上し、伸びへの対応力向上し運動動作時のずれが減少する。
【００３３】
また、膝下緊締部１４の膝裏サポート部１４ｃの形状は、図４に示すように膝裏の中心付近が組織Ａで形成され、その周囲を組織Ｃで囲んでもよい。膝裏に薄い組織Ａを用いることにより、膝の曲げによる不快感を減少することができる。また、膝裏サポート部１４ｃは、図５に示すように平編み組織であり周辺の組織Ａよりも編み目密度が高い組織Ａ’で形成されてもよい。これによっても膝の曲げによる不快感を減少することが出来る。
【００３４】
また、組織Ａで形成されている各部は、足の先端へ向かって徐々に緊締力が増すように編み目密度を変化させてもよい。例えば、前モモ部と後モモ部は緊締力が弱く、フクラハギ部は中程度、スネ部は強めに設定する。これにより脚部の静脈還流促進の効果があり、血行をよくする。
【００３５】
また、この運動用被服の生地の編み方は、平編みとタック編み以外にパール編みやパール編みを応用した変化組織等を使用してもよい。パール編みの特徴は、立て横どちらの方向にも伸縮性が大きい。
【００３６】
また、緊締力を調節する方法は、編み方や編み糸の本数を変更する以外に、編み糸の種類（太さ、断面形状、組成、伸縮加工、弾性等）を編成途中で変更してもよい。
【００３７】
【発明の効果】
この発明の運動用被服は、着用するだけで人体の各部分を最適な状態でサポートするテーピング機能が得られるものである。そして、編み機で所定パターンの緊締部をタック編みで一体に形成するため、着心地と密着性がよく、コストも安価である。また、製造が簡単で、複雑な形状の緊締部も簡単に形成し、編み目密度を細かく設定することにより微妙に緊締力を調整することができる。
【図面の簡単な説明】
【図１】  この発明の一実施形態の運動用被服の左側面図である。
【図２】  この実施形態の運動用被服の正面図である。
【図３】  この実施形態の運動用被服の背面図である。
【図４】  この実施形態の変形を示す左側面図である。
【図５】 この実施形態の変形を示す左側面図である。
【符号の説明】
１０  スパッツ
１２  伸縮部
１４  膝下緊締部
１４ａ  腓腹筋下端部サポート部
１４ｂ  前脛骨筋サポート部
１４ｃ  膝裏サポート部
１６  長内転筋緊締部
１７  内側広筋緊締部
１８  外側広筋緊締部
２０  大腿二頭筋緊締部
２２  大腿筋膜張筋緊締部
２４  腸脛靱帯緊締部
２６  通気部
２８  スネ部
３０  フクラハギ部
３２  ヒザ部
３４  前モモ部
３４ａ  密着部
３６  後モモ部
３８  ヒップ部
【図１】
0003809031.tif 000002
【図２】
0003809031.tif 000003
【図３】
0003809031.tif 000004
【図４】
0003809031.tif 000005
【図５】
0003809031.tif 000006